(57)【要約】【課題】強制開錠が可能なダイヤルロックを提供する。【解決手段】台座１０は、二つの側壁１１を有し、片側に二つの貫通孔が設けられている。ダイヤルロックユニット２０は、台座１０の中段に設置されている。ロック板３０は、台座１０内に設けられ、側辺に台座１０の貫通孔と対応する二つの立板部が設けられ、一端に引掛部が設けられ、台座１０内で軸方向に沿って移動できる。ロック部材４０は、台座１０の一端に設けられ、ロック板３０に反復移動を行わせることができる。キーユニット５０は、台座１０の別の一端に設けられ、共に回転可能な擺動部が底部に設けられている。連動部材は、凸部を有し、台座１０の片側に設けられている。キーユニット５０は連動部材に作動してロック板３０の引掛部を進出させるため、擺動部により連動部材に連動する。【選択図】図２
0003127045.tif 000002
【実用新案登録請求の範囲】
【請求項１】
二つの側壁を有し、片側に二つの貫通孔が設けられている台座と、
前記台座の中段に設置されているダイヤルロックユニットと、
前記台座内に設けられ、側辺に前記台座の貫通孔と対応する二つの立板部が設けられ、一端に引掛部が設けられているロック板であって、前記台座内で軸方向に沿って移動可能なロック板と、
前記台座の一端に設けられ、前記ロック板に反復移動を行わせることが可能なロック部材と、
前記台座の別の一端に設けられ、共に回転することが可能な擺動部が底部に設けられているキーユニットと、
凸部を有し、前記台座の片側に設けられ、前記凸部を前記ダイヤルロックユニットの片側に位置付ける連動部材と、を備え、
前記連動部材を動かして前記ロック板が引掛部を駆動され、前記ダイヤルロックユニットは前記擺動部により前記連動部材と連動することを特徴とする強制開錠が可能なダイヤルロック。
【請求項２】
前記ロック部材は、引き部材を形成し、前記ロック板の片側に設けられ、前記台座内で軸方向に沿って反復移動可能であり、二つの立板部の局部を覆い隠し、前記台座の側壁の貫通孔を覆い隠さないようにするため、前記ロック板を移動可能であることを特徴とする請求項１記載の強制施錠が可能なダイヤルロック。
【請求項３】
前記ロック部材は、つまみ状に形成され、前記台座の片側に枢設され、前記ロック部材を回転させ、二つの立板部の局部を覆い隠し、前記台座の側壁の貫通孔を覆い隠さないようにするため、前記ロック板を移動可能であることを特徴とする請求項１記載の強制施錠が可能なダイヤルロック。
【請求項４】
前記ロック部材の底部には環状歯部が設けられ、前記ロック板の片側は歯部を有し、前記ロック部材の環状歯部と噛合可能であることを特徴とする請求項３記載の強制施錠が可能なダイヤルロック。
【請求項５】
前記座体の底部に前記ロック部材と連接し、前記ロック部材の回転に伴って回転可能な駆動部材が枢設されていることを特徴とする請求項４記載の強制施錠が可能なダイヤルロック。
【請求項６】
前記駆動部材には二つの凸柱が設けられ、前記二つの凸柱は通常ケース本体に設置されている連接板に連動するために用いられることを特徴とする請求項５記載の強制施錠が可能なダイヤルロック。
【請求項７】
前記連動部材は、前記キーユニットの底部の擺動部を挿入可能な矩形孔が設けられている平板部と、立板部と、前記凸部とを有することを特徴とする請求項１記載の強制施錠が可能なダイヤルロック。
【請求項８】
前記ダイヤルロックユニットは、二つ以上のナンバーリングと、相対する凸リングと、軸心と、擺動板とを含むことを特徴とする請求項１記載の強制施錠が可能なダイヤルロック。
【請求項９】
前記連動部材の凸部は、前記ダイヤルロックユニットの擺動板の片側に位置することを特徴とする請求項８記載の強制施錠が可能なダイヤルロック。
【考案の詳細な説明】
【技術分野】
【０００１】
本考案は、ダイヤルロックに関し、特に、強制的に開錠することが可能なダイヤルロックに関する。
【背景技術】
【０００２】
図１が示すように、常用されるダイヤルロック１は、ケース本体に予め設置されたロック部とのを組合せにより施錠の目的を果たすものである。前記ダイヤルロックは、異なるナンバーリング２を利用して内部の凸リングと組み合わせることにより、施錠と個人の暗証番号を設置するという機能を果たすことが可能である。このタイプのダイヤルロックは、簡単で使い易いものであるが、常に使用者を悩ませる問題がある。それは、様々な理由によって使用者自身が当初設定した暗証番号を忘れてしまった場合、開錠することができず、従来のロックキー構造であっても、その他いかなる構造または設置においても、正規の方法によってこのタイプのダイヤルロックの開錠が行えるものはない。
【考案の開示】
【考案が解決しようとする課題】
【０００３】
本考案の主な目的は、使用者が設定した暗証番号を忘れてしまうことにより開錠できないという状況を回避するための強制開錠が可能なダイヤルロックを提供することである。
【課題を解決するための手段】
【０００４】
上述の目的を達成するため、本考案の強制開錠が可能なダイヤルロックは、以下を含む。
前記ダイヤルロックは、台座と、片方の側に二つの貫通孔を設ける二つの側壁と、前記台座内に設置されるダイヤルロックユニットと、前記台座内に設けられて軸方向に沿って移動することが可能で、側辺に前記台座の貫通孔に対応する二つの立板部を設け、一端に引掛部を設けるロック板と、前記台座の一端に設けられ、前記ロック板を移動させることが可能なロック部材と、前記台座のもう一端に設けられ、底部に回転可能な擺動部を設けるキーユニットと、凸部を有し、前記台座に設けられ、前記ダイヤルロックユニットの片側に位置する連動部材とを含み、前記キーユニットは前記連動部材に作動して前記ロック板の引掛部を進出させるため、前記擺動部により前記連動部材に連動する。
【考案を実施するための最良の形態】
【０００５】
本考案の構造および効果を説明するため、図面と共に以下に二つの実施の形態を挙げ、詳細に説明する。
図１は、従来のスーツケースのダイヤルロックの斜視図である。
図２は、本考案の第一実施例の斜視図である。
図３は、図２を２−２線で切断した断面図である。
【０００６】
図４は、図２を３−３線で切断した断面図である。
図５は、図３と概ね同様の側面断面図である。
図６は、図４と概ね同様の側面断面図である。
図７は、図４と概ね同様の別の状態の底面断面図である。
図８は、本考案の第一実施例の連動部材の斜視図である。
【０００７】
図９は、本考案の第一実施例の台座の斜視図である。
図１０は、本考案の第二実施例の斜視図である。
図１１は、図１０を１１−１１線で切断した断面図である。
図１２は、図１２と概ね同様の別の状態の断面図である。
図示のとおり、本考案の第一実施例による強制開錠が可能なダイヤルロックは、以下を含む。
【０００８】
台座１０は、矩形を呈し、片側に複数の貫通孔１２を設ける二つの側壁１１を有し、ケース本体のロック部（図示せず）と対応するように設置することができる。本実施例においては、本体の片側に二つの貫通孔を設けており、図９に示す。
ダイヤルロックユニット２０は、従来品と同様、複数のナンバーリングと、相対する凸リング２１と、軸心２２と、擺動板２３とを含む。前記ダイヤルロックユニットは、前記台座の中段に設置される。
【０００９】
ロック板３０は、前記台座内に設けられ、該台座内で軸方向に沿って反復するように移動することが可能であり、側辺に二つの立板部３１を設け、一端に引掛部３２を設け、片側に歯部３３を設ける。
ロック部材４０は、前記台座１０の一端に設けられ、前記ロック板に反復移動を行わせる。本実施例において、前記ロック部材は、つまみ状としてなり、底部に前記ロック板の歯部と噛合可能な環状歯部４１を設け、前記台座の片側に枢設される。駆動部材４２は、前記台座の底部に枢設され、前記ロック部材と連接して該ロック部材の回転に伴って回転することができる。前記駆動部材は、通常、ケース本体に設置された連接板に連動するために用いられる二つの凸柱４３を設け、この連動動作は従来の構造である。
【００１０】
キーユニット５０は、前記台座の別の一端に設けられ、キーを挿入できるキー孔５１を備える。さらに、底部に擺動部５２を設け、該擺動部は前記キーの回転に伴って回転することが可能である。
連動部材６０は、矩形孔６４を設ける平板部６１と、立板部６２と、凸部６３とを有し、前記台座１０に設けられる。前記キーユニット５０の底部は前記キーユニット底部の擺動部５２を前記平板部の矩形孔６４に挿入させることが可能であり、さらに、前記凸部６３を前記ダイヤルロックユニットの擺動板２３の片側に位置付けることができる。
【００１１】
上述の構造を利用した組合せにより、キーユニット５０が開閉位置に設けられる時、前記擺動部５２は前記連動部材を前記ロック部の引掛部３２の位置へと押入れ、このとき、使用者が前記ロック部材４０を回転させると、前記ロック板３０および前記連動部材６０を同時に移動させることができる。前記ロック板は移動したことによって二つの立板部３１局部の前記台座の側壁の貫通孔１２を覆い隠し、ロック部を離れることなく掛け合わせるという目的を達成する。この動作は従来のものと同様である。ダイヤルロックユニット２０が施錠される前、前記ロック板３０および前記連動部材６０は、図５が示すように、前記ロック部材に伴って移動するが、ダイヤルロックユニットが施錠される時、前記擺動板２３の擺動端は凸リングにより下方へと押圧され、このため、ロック部材が回転する時、前記連動部材の凸部６３と前記擺動板２３は互いに圧接し、ロック部材は移動できなくなる。こうして、図３が示すように、施錠の目的を達成することができる。
【００１２】
開錠する場合、使用者は、通常の方法を用い、正確なダイヤル位置までダイヤルロックユニット２０を回転させ、キーの掛け合わせ状態を解除することができる。もしくは、図７に示すように、キーを用いてキーユニット５０を開く位置まで回転させることにより、前記キーユニットの回転に伴って擺動部５２は前記連動部材６０を移動させることが可能で、該連動部材が前記ロック板の引掛部３２から離脱しないようにし、ロック板３０との連動関係を生じさせないようにする。これより、前記ロック板３０は、移動の際、再び前記連動部材と合わせて移動することはなく、前記連動部材６０の凸部が覆い隠されたことにより、移動することができなくなる。つまり、前記ダイヤルロックユニットが施錠されているか否かに限らず、前記ロック板３０はこのとき前記ロック部材４０の動作に伴って移動し、二つの立板部３１を前記台座の二つの貫通孔１２より離脱させ、開錠された状態を形成し、前記ロック部は前記二つの貫通孔より離脱することができる。
【００１３】
本実施例の構造は、前記キーユニットを回転して前記連動部材が前記ロック板の引掛部を離脱させさえすれば、ダイヤルロックユニットが施錠されているか否かに関わらず、前記ロック部材は前記ロック板を移動させることが可能であり、施錠と開錠の目的を達成することができる。こうして、使用者が暗証番号を忘れることにより開錠できなくなるという従来製品の欠点を排除することができる。
【００１４】
図１１−図１２で示すように、本考案の第二実施例による強制開錠が可能なダイヤルロックは、主な構造が前述した実施例と概ね同一であり、異なるのは前記ロック部材を引き部材７０とする点である。該部材は、前記ロック板の片側に設けられ、使用者の左右に引く動作に伴い、前記台座内で軸方向に沿って反復運動を行い、直接前記ロック板を移動させ、該ロック板に歯部を設置しないことも可能である。
【００１５】
本考案の第二実施例の操作方法と第一実施例は概ね同一であり、異なるのは、第一実施例ではロック部材は回転する方法により環状歯部を通じてロック板の歯部と連動して前記ロック板を移動させ、この回転方法を通じてケース本体上を移動することが可能な連接板に連帯して移動することができるという点である。
一方、本実施例は、引き動かす方法により直接前記ロック片を移動させるというものであり、二つの実施例における操作方法はわずかに異なる点を有するが、いずれも本考案の強制開錠が可能なダイヤルロックの創作目的を達成することができる。
【図面の簡単な説明】
【００１６】
【図１】従来のスーツケースのダイヤルロックの斜視図である。
【図２】本考案の第一実施例による強制開錠が可能なダイヤルロックを示す斜視図である。
【図３】図２を２−２線で切断した断面図である。
【図４】図２を３−３線で切断した断面図である。
【図５】図３と概ね同様の側面の断面図である。
【図６】図４と概ね同様の側面の断面図である。
【図７】図４と概ね同様の別の状態を示す底面の断面図である。
【図８】本考案の第一実施例による強制開錠が可能なダイヤルロックの連動部材の斜視図である。
【図９】本考案の第一実施例による強制開錠が可能なダイヤルロックの台座を示す斜視図である。
【図１０】本考案の第二実施例による強制開錠が可能なダイヤルロックを示す斜視図である。
【図１１】図１０を１１−１１線で切断した断面図である。
【図１２】概ね図１２と同様の別の状態を示す断面図である。
【符号の説明】
【００１７】
１  ダイヤルロック、２  ナンバーリング、１０  台座、１１  側壁、１２  貫通孔、２０  ダイヤルロックユニット、２１  凸リング、２２  軸心、２３  擺動板、３０  ロック板、３１  立板部、３３  歯部、４０  ロック部材、４１  環状歯部、４２  駆動部材、４３  凸柱、５０  キーユニット、５１  キー孔、５２  擺動部、６０  連動部材、６１  平板部、６２  立板部、６３  凸部、６４  矩形孔、７０  引き部材
【図１】
0003127045.tif 000003
【図２】
0003127045.tif 000004
【図３】
0003127045.tif 000005
【図４】
0003127045.tif 000006
【図５】
0003127045.tif 000007
【図６】
0003127045.tif 000008
【図７】
0003127045.tif 000009
【図８】
0003127045.tif 000010
【図９】
0003127045.tif 000011
【図１０】
0003127045.tif 000012
【図１１】
0003127045.tif 000013
【図１２】
0003127045.tif 000014